(57)【特許請求の範囲】
【請求項１】
第１テープにその幅に応じた第１印刷画像を印刷するテープ印刷装置において、テープ幅が前記第１テープの幅以下の第２テープを印刷対象とする第２印刷画像が貼付可能なように、前記第１印刷画像を作成するテープ印刷装置の画像作成方法であって、
前記第１印刷画像の領域内に、前記第２印刷画像の貼付領域として第２印刷画像領域を設定して、前記第２印刷画像領域が確保された第１印刷画像を作成することを特徴とするテープ印刷装置の画像作成方法。
【請求項２】
前記第１印刷画像は、複数の段落を有し、
前記第２印刷画像領域は、前記第２印刷画像を貼付したときに前記複数の段落のうちの少なくとも１を担当するように設定されることを特徴とする、請求項１に記載のテープ印刷装置の画像作成方法。
【請求項３】
前記第１印刷画像は、複数の行を有し、
前記第２印刷画像領域は、前記第２印刷画像を貼付したときに前記複数の行のうちの少なくとも１を担当するように設定されることを特徴とする、請求項１に記載のテープ印刷装置の画像作成方法。
【請求項４】
前記第１印刷画像は、複数の文字から成る文字列を有し、
前記第２印刷画像領域は、前記第２印刷画像を貼付したときに前記文字列のうちの少なくとも一部を担当するように設定されることを特徴とする、請求項１に記載のテープ印刷装置の画像作成方法。
【請求項５】
前記第１印刷画像は、複数の文字を有し、
前記第２印刷画像領域は、前記第２印刷画像を貼付したときに前記複数の文字のうちの少なくとも１を担当するように設定されることを特徴とする、請求項１に記載のテープ印刷装置の画像作成方法。
【請求項６】
前記第２印刷画像領域は、前記第１印刷画像の領域と二重枠態様に内包される領域となるように設定されることを特徴とする、請求項１に記載のテープ印刷装置の画像作成方法。
【請求項７】
前記第１印刷画像は、前記第２印刷画像領域を明示するマーク画像を有するように作成されることを特徴とする、請求項１ないし６のいずれかに記載のテープ印刷装置の画像作成方法。
【請求項８】
前記第２印刷画像領域は、多角形の領域として設定され、
前記第１印刷画像は、前記マーク画像として、前記多角形の各角の位置を示す角マークを有することを特徴とする、請求項７に記載のテープ印刷装置の画像作成方法。
【請求項９】
前記第１印刷画像は、前記マーク画像として、破線または実線により前記第２印刷画像領域の輪郭線を示す輪郭画像を有することを特徴とする、請求項７または８に記載のテープ印刷装置の画像作成方法。
【請求項１０】
前記マーク画像は、前記第２印刷画像を貼付したときにその下に隠蔽されるように配置されることを特徴とする、請求項７ないし９のいずれかに記載のテープ印刷装置の画像作成方法。
【請求項１１】
前記第１印刷画像は、前記第２印刷画像の全体の領域内およびそれより所定分狭い領域内のいずれかに前記第１印刷画像の他の領域と異なる配色がなされ、
前記第２印刷画像領域は、その配色の境界線により明示されたことを特徴とする、請求項１ないし１０のいずれかに記載のテープ印刷装置の画像作成方法。
【請求項１２】
前記第１印刷画像の印刷以前に、前記第２印刷画像を作成する第２印刷画像作成工程をさらに備えたことを特徴とする、請求項１ないし１１のいずれかに記載のテープ印刷装置の画像作成方法。
【請求項１３】
前記第１印刷画像の前記第２印刷画像領域内に前記第２印刷画像を合成した合成画像を表示する合成画像表示工程をさらに備えたことを特徴とする、請求項１２に記載のテープ印刷装置の画像作成方法。
【請求項１４】
前記第１ラベルと前記第２ラベルは、テープの種類が異なることを特徴とする、請求項１ないし１３のいずれかに記載のテープ印刷装置の画像作成方法。
【請求項１５】
前記第２テープは、透明地のテープであることを特徴とする、請求項１ないし１４のいずれかに記載のテープ印刷装置の画像作成方法。
【請求項１６】
請求項１ないし１５のいずれかに記載のテープ印刷装置の画像作成方法によって作成された前記第１印刷画像を前記第１テープに印刷して、前記第１印刷画像が印刷された第１ラベルを作成する第１ラベル作成工程と、
前記第２テープをテープ印刷装置に装着し、前記第２印刷画像を前記第２テープに印刷して、前記第２印刷画像が印刷された第２ラベルを作成する第２ラベル作成工程と、
を備えたことを特徴とするラベル作成方法。
【発明の詳細な説明】
【０００１】
【発明の属する技術分野】
本発明は、テープ印刷装置の画像作成方法並びにラベル作成方法に関する。
【０００２】
【従来の技術】
近年、テープ印刷装置に装着可能なテープとして、幅、地色、地模様、材質（質感）等が異なる多種多様なテープが用意されている。このため、ユーザは、その多種多様なテープのうちから所望の１種を選択して、テープ印刷装置に装着し、装着されたテープに所望の印刷画像を印刷して、その印刷画像の部分をラベルとする。
【０００３】
【発明が解決しようとする課題】
従来のこの種のテープ印刷装置では、複数種類のテープを重ねて貼ることを想定しておらず、あくまでも装着された１種のテープのみを対象として印刷画像を編集・作成・印刷する。このため、多種多様なテープの複数種類を統合して利用したラベルを作成することはできなかった。
【０００４】
本発明は、幅、地色、地模様、質感などが相異なる複数種類のテープを統合して利用可能として、多彩かつ見栄えの良いラベルを作成できるテープ印刷装置の画像作成方法並びにラベル作成方法を提供することを目的とする。
【０００５】
【課題を解決するための手段】
本発明の請求項１のテープ印刷装置の画像作成方法は、第１テープにその幅に応じた第１印刷画像を印刷するテープ印刷装置において、テープ幅が前記第１テープの幅以下の第２テープを印刷対象とする第２印刷画像が貼付可能なように、前記第１印刷画像を作成するテープ印刷装置の画像作成方法であって、前記第１印刷画像の領域内に、前記第２印刷画像の貼付領域として第２印刷画像領域を設定して、前記第２印刷画像領域が確保された第１印刷画像を作成することを特徴とする。
【０００６】
この画像作成方法は、第１テープにその幅（第１テープ幅）に応じた第１印刷画像を印刷するテープ印刷装置において、第１印刷画像を作成する方法であり、特に第１テープ幅以下のテープ幅を有する第２テープに対する第２印刷画像領域を、第１印刷画像の領域内に設定して、その領域が確保された第１印刷画像を作成する。このため、続いて、第１印刷画像を第１テープに印刷することにより、第１印刷画像の部分をラベル（第１ラベル）とすることができ、第１ラベル（の第１印刷画像の第２印刷画像領域）上に、第２印刷画像が印刷された別のテープ（第２テープ）によるラベル（第２ラベル）を貼り付けることができ、（貼り付けによる合成の結果として）新たなラベル（合成ラベル）とすることができる。この場合、多種多様なテープの種類のうちから、第２テープとして、第１テープと異なる種類のテープを選択できるので、そのことも加味して第１印刷画像の編集・作成ができ、これにより、幅、地色、地模様、質感などが相異なる複数種類のテープを統合して利用可能として、多彩かつ見栄えの良い（合成）ラベルを作成できる。
【０００７】
また、請求項１の画像作成方法において、前記第１印刷画像は、複数の段落を有し、前記第２印刷画像領域は、前記第２印刷画像を貼付したときに前記複数の段落のうちの少なくとも１を担当するように設定されることが好ましい。
【０００８】
この画像作成方法では、第１印刷画像は、複数の段落を有し、第２印刷画像領域は、第２印刷画像を貼付したときに複数の段落のうちの少なくとも１を担当するように設定されるので、第１印刷画像を第１テープに印刷し、第２印刷画像を幅、地色、地模様、質感などが相異なる第２テープに印刷して貼る（合成する）ことにより、少なくとも１の段落を第２印刷画像に担当させることができ、これにより、見栄えの良い段落囲みを行ったような（合成）ラベル（のための第１印刷画像）を作成できる。
【０００９】
また、請求項１の画像作成方法において、前記第１印刷画像は、複数の行を有し、前記第２印刷画像領域は、前記第２印刷画像を貼付したときに前記複数の行のうちの少なくとも１を担当するように設定されることが好ましい。
【００１０】
この画像作成方法では、第１印刷画像は、複数の行を有し、第２印刷画像領域は、第２印刷画像を貼付したときに複数の行のうちの少なくとも１を担当するように設定されるので、第１印刷画像を第１テープに印刷し、第２印刷画像を幅、地色、地模様、質感などが相異なる第２テープに印刷して貼る（合成する）ことにより、少なくとも１の行を第２印刷画像に担当させることができ、これにより、見栄えの良い行囲みを行ったような（合成）ラベル（のための第１印刷画像）を作成できる。
【００１１】
また、請求項１の画像作成方法において、前記第１印刷画像は、複数の文字から成る文字列を有し、前記第２印刷画像領域は、前記第２印刷画像を貼付したときに前記文字列のうちの少なくとも一部を担当するように設定されることが好ましい。
【００１２】
この画像作成方法では、第１印刷画像は、複数の文字から成る文字列を有し、第２印刷画像領域は、第２印刷画像を貼付したときに文字列のうちの少なくとも一部を担当するように設定されるので、第１印刷画像を第１テープに印刷し、第２印刷画像を幅、地色、地模様、質感などが相異なる第２テープに印刷して貼る（合成する）ことにより、少なくとも文字列の一部を第２印刷画像に担当させることができ、これにより、見栄えの良い文字列囲み（字囲み）を行ったような（合成）ラベル（のための第１印刷画像）を作成できる。
【００１３】
また、請求項１の画像作成方法において、前記第１印刷画像は、複数の文字を有し、前記第２印刷画像領域は、前記第２印刷画像を貼付したときに前記複数の文字のうちの少なくとも１を担当するように設定されることが好ましい。
【００１４】
この画像作成方法では、第１印刷画像は、複数の文字を有し、第２印刷画像領域は、第２印刷画像を貼付したときに複数の文字のうちの少なくとも１を担当するように設定されるので、第１印刷画像を第１テープに印刷し、第２印刷画像を幅、地色、地模様、質感などが相異なる第２テープに印刷して貼る（合成する）ことにより、少なくとも１の文字を第２印刷画像に担当させることができ、これにより、見栄えの良い文字囲み（字囲み）を行ったような（合成）ラベル（のための第１印刷画像）を作成できる。
【００１５】
また、請求項１の画像作成方法において、前記第２印刷画像領域は、前記第１印刷画像の領域の外周に沿った外枠態様に内包される領域となるように設定されることが好ましい。
【００１６】
この画像作成方法では、第１印刷画像の領域の外周に沿った外枠態様に内包される領域となるように設定される。すなわち、第２印刷画像を幅、地色、地模様、質感などが相異なる第２テープに印刷して貼る（合成する）ことにより、その外郭（第２印刷画像の輪郭：非透明のテープ地のときには貼付する第２ラベルの外郭）が、第２印刷画像の外枠のように見える。これにより、見栄えの良い外枠を付加したような（合成）ラベル（のための第１印刷画像）を作成できる。
【００１７】
また、請求項１ないし６のいずれかの画像作成方法において、前記第１印刷画像は、前記第２印刷画像領域を明示するマーク画像を有するように作成されることが好ましい。
【００１８】
この画像作成方法では、第１印刷画像は、第２印刷画像領域を明示するマーク画像を有するように作成されるので、印刷したときに、そのマーク画像により第２印刷画像領域が明示され、第２印刷画像（が印刷された第２ラベル）を貼りやすく、すなわち画像を合成した合成ラベルを作成しやすくできる。
【００１９】
また、請求項７の画像作成方法において、前記第２印刷画像領域は、多角形の領域として設定され、前記第１印刷画像は、前記マーク画像として、前記多角形の各角の位置を示す角マークを有することが好ましい。
【００２０】
この画像作成方法では、第２印刷画像領域は、多角形の領域として設定されるため、第２印刷画像領域の各角の位置を示す角マークを第１印刷画像が有することにより、第２印刷画像領域を明示できる。
【００２１】
また、請求項７または８の画像作成方法において、前記第１印刷画像は、前記マーク画像として、破線または実線により前記第２印刷画像領域の輪郭線を示す輪郭画像を有することが好ましい。
【００２２】
この画像作成方法では、破線または実線により第２印刷画像領域の輪郭線を示す輪郭画像を第１印刷画像が有することにより、第２印刷画像領域を明示できる。
【００２３】
また、請求項７ないし９のいずれかの画像作成方法において、前記マーク画像は、前記第２印刷画像を貼付したときにその下に隠蔽されるように配置されることが好ましい。
【００２４】
この画像作成方法では、マーク画像は第２印刷画像を貼付したときにその下に隠蔽されるように配置されるため、マーク画像により第２印刷画像領域を明示できるとともに、第２印刷画像（が印刷された第２ラベル）を貼ることによりその下に隠せるので、さらに見栄えを良くすることができる。なお、この場合、例えば角マークや輪郭線等のマーク画像を、第２印刷画像（あるいは非透明の第２ラベルのテープ地）の実際の角や輪郭線より少し内側に配置すれば、貼付領域の明示として十分でありながら、内側なので第２印刷画像を貼付したときにその下に隠蔽されるような配置となる。
【００２５】
また、請求項１ないし１０の画像作成方法において、前記第１印刷画像は、前記第２印刷画像の全体の領域内およびそれより所定分狭い領域内のいずれかに前記第１印刷画像の他の領域と異なる配色がなされ、前記第２印刷画像領域は、その配色の境界線により明示されたことが好ましい。
【００２６】
この画像作成方法では、第２印刷画像領域内および領域より所定分狭い領域内のいずれかに第１印刷画像の他の領域と異なる配色をすることにより、色の違いを利用して境界線を明示する。ここで、後者の、所定分狭い領域内の配色の場合も、予め定めた分（所定分）なので、前者の（全体の）場合と同様に、第２印刷画像領域を明示できる。このため、前述の角マークや輪郭線等と同様に、第２印刷画像（が印刷された第２ラベル）の下に隠したりするなどの工夫ができる（隠せるという利点がある）。
【００２７】
また、請求項１ないし１１の画像作成方法において、前記第１印刷画像の印刷以前に、前記第２印刷画像を作成する第２印刷画像作成工程をさらに備えたことが好ましい。
【００２８】
この画像作成方法では、第１印刷画像の印刷以前に、第２印刷画像を作成できるので、第１印刷画像の作成と間をおかずに作成できて、作成しやすい。
【００２９】
また、請求項１２の画像作成方法において、前記第１印刷画像の前記第２印刷画像領域内に前記第２印刷画像を合成した合成画像を表示する合成画像表示工程をさらに備えたことが好ましい。
【００３０】
この画像作成方法では、第１印刷画像の第２印刷画像領域内に第２印刷画像を合成した合成画像を表示するので、実際にラベル（第１ラベル、第２ラベル、合成ラベル）を作成しなくても、全体（合成）画像を表示により確認可能になる。このため、この確認（表示）を第１ラベル作成や第２ラベル作成の前に行うことにより、不本意な合成画像となる場合のラベル（テープ）の無駄を削減でき、編集し直して改めて確認後に作成できる。
【００３１】
また、請求項１ないし１３の画像作成方法において、前記第１ラベルと前記第２ラベルは、テープの種類が異なることが好ましい。
【００３２】
この画像作成方法では、第１ラベルと第２ラベルはテープの種類が異なるので、幅、地色、地模様、質感などが相異なる複数種類のテープを統合して利用可能として、多彩かつ見栄えの良い（合成）ラベルを作成できる。
【００３３】
また、請求項１ないし１４の画像作成方法において、前記第２テープは、透明地のテープであることが好ましい。
【００３４】
第１ラベルに印刷された第１印刷画像上に、第２印刷画像が印刷された第２テープ（第２ラベル）を貼付して合成ラベルを作成する場合に、第２テープが透明地のテープであれば、それに印刷された第２印刷画像が第１印刷画像（の領域）上に直接見えることになり、その外側（第２テープのテープ地の部分：透明部分）は、第１印刷画像上に重なっても下が見える。この画像作成方法では、第２テープが透明地のテープなので、第１印刷画像領域内に設定する第２印刷画像領域は、第２印刷画像内の非透明色部分の領域とすることができ、第２テープのテープ地が透明という特色に基づいて第１印刷画像内の領域を有効に生かしたラベルを作成できる。
【００３５】
また、請求項１６のラベル作成方法は、請求項１ないし１５のいずれかに記載のテープ印刷装置の画像作成方法によって作成された前記第１印刷画像を前記第１テープに印刷して、前記第１印刷画像が印刷された第１ラベルを作成する第１ラベル作成工程と、前記第２テープをテープ印刷装置に装着し、前記第２印刷画像を前記第２テープに印刷して、前記第２印刷画像が印刷された第２ラベルを作成する第２ラベル作成工程と、を備えたことを特徴とする。
【００３６】
このラベル作成方法では、第２印刷画像の貼付領域である第２印刷画像領域が確保された第１印刷画像を第１テープに印刷して第１ラベルを作成し、第２印刷画像を第２テープに印刷して第２ラベルを作成するため、この後、第１ラベルの第１印刷画像の第２印刷画像領域に、第２ラベルの第２印刷画像を貼付することにより合成ラベルを容易に作成できる。この場合、多種多様なテープの種類のうちから、第１テープおよび第２テープとして、異なる種類のテープを選択でき、そのことも加味して第１印刷画像や第２印刷画像の編集・作成ができるので、これにより、幅、地色、地模様、質感などが相異なる複数種類のテープを統合して利用可能として、多彩かつ見栄えの良い合成ラベルを作成できる。
【００３７】
【発明の実施の形態】
以下、本発明の一実施形態に係るテープ印刷装置について、添付図面を参照しながら詳細に説明する。
【００３８】
図１および図２は、本実施形態におけるテープ印刷装置の全体および開閉蓋を開けたときの外観構成を示し、図３は、その制御系のブロック図である。図１および図２に示すように、このテープ印刷装置１は、装置ケース２により外殻が形成され、装置ケース２の前部上面には各種入力キーから成るキーボード３を備えている。後部上面には、その左部に開閉蓋２１が取り付けられ、その右部にディスプレイ４が配設されている。
【００３９】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００４０】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００４１】
図２および図３に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲとを収容されており、また、ポケット６に配設されたヘッドユニット６１に差し込むための貫通孔５５が形成されている。また、相異なる幅等のテープＴの種別を識別できるように、裏面に小さな複数の孔が設けられ、ポケット６には、この孔の有無を検出するマイクロスイッチなどのテープ識別センサ１４２が設けられていて、これにより、テープＴの種別を検出できるようになっている。
【００４２】
テープＴは、裏面に接着面が形成され、それが剥離紙によって覆われた構成になっている。テープＴとインクリボンＲは、貫通孔５５の位置で相互に重なり合った状態で走行するとともに、テープＴのみが外部に排出され、インクリボンＲは内部で巻き取られるようになっている。
【００４３】
ヘッドユニット６１には、サーマルヘッドから成る印刷ヘッド７が内蔵されており、テープカートリッジＣがポケット６に装着された状態で、印刷ヘッド７が、テープカートリッジＣの貫通孔５５から露出しているインクリボンＲの裏面に当たるようになっている。そして、印刷ヘッド７を発熱駆動することにより、所望の文字などがテープＴの表面に印刷される。また、装置ケース２の左側部には、ポケット６と装置外部とを連通するテープ排出口２２が形成され、テープ排出口２２には、送りだしたテープＴを切断するテープカッタ１３２が臨んでいる。また、ポケット６には、装着されたテープカートリッジ４の被駆動部が係合する駆動軸６２、６３などが設けられており、送りモータ１２１を駆動源として、これらの駆動軸６２、６３により、テープカートリッジＣ内のテープＴおよびインクリボンＲの送りが行われ、かつこれらに同期して印刷ヘッド７を駆動することで、印刷が行われる。また、印刷完了後、テープＴの送りが続行され所定の切断位置がテープカッタの位置まで送られる。
【００４４】
なお、送りモータ１２１の先端には図外の検出開口が形成された円盤が固着され、その検出開口に臨むようにフォトセンサ等を有する回転速度センサ１４１が設けられていて、送りモータ１２１の回転速度を検出して制御部２００に報告する。
【００４５】
切断部１３は、テープカッタ１３２と、任意長印刷などの場合に手動によりテープカッタを切断動作させるカットボタン１３３と、定長印刷などの場合に自動的にテープカッタ１３２を切断動作させるカッタモータ１３１と、を備えている。また、これにより、テープ印刷装置１では、モード設定によって、自動／手動を切り替えられるようにしている。このため、手動カットの場合、印刷が完了した時点で、ユーザが、装置ケース２に配設されたカットボタン１３３を押すことで、テープカッタ１３２が作動し、テープＴが所望の長さに切断される。また、自動カットの場合、印刷が終了して余白分だけテープ送りされ、それが停止すると同時に、カッタモータ１３１が駆動され、テープＴの切断が行われる。
【００４６】
検出部１４は、前述の回転速度センサ１４１、テープ識別センサ１４２を備えている。なお、実状に合わせて、これらを省略した構成とすることもできる。
【００４７】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示にしたがって、操作部１１のディスプレイ４を駆動する。同様に、ヘッドドライバ２７２は、制御部２００の指示にしたがって、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示にしたがって、各モータを駆動する。
【００４８】
操作部１１は、キーボード３とディスプレイ４とを備えている。ディスプレイ４は、横方向（Ｘ方向）約６ｃｍ×縦方向（Ｙ方向）４ｃｍの長方形の形状の内側に、９６ドット×６４ドットの表示画像データを表示可能な表示画面４１を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００４９】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。機能キー群３２には、印刷実行を指示する「印刷」キーの他、漢字変換や機能を選択する場合に、表示されている選択肢を選択する「選択」キー、カーソル位置の文字を削除したり各種機能の操作中に操作の取り消しを行う「削除」キー、次に入力されるキャラクタ位置や操作の対象となる位置を示すカーソルＫを移動するための「カーソル」キー（「↑」、「↓」、「→」、「←」）などが含まれる。
【００５０】
また、後述の改テープ指示のための改テープキー、外枠指示のための外枠指示（フレーム）キー、改段落指示のための改段落キー、改行指示のための改行キー等も含まれる。なお、当然ながら、一般的なキーボードと同様に、これらのキー入力は、各キー入力毎に個別にキーを設けて入力しても良いし、シフトキー等と組み合わせてより少ない数のキーを用いて入力しても良い。図３に示すように、キーボード３は、種々の指令およびデータを制御部２００に入力する。
【００５１】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、色変換テーブルや文字修飾テーブルなどを含む制御データを記憶する制御データ領域２２２を有している。ＣＧ−ＲＯＭ２３０は、テープ印刷装置１に用意されている絵文字、記号、図形等のフォントデータ（主にアウトラインフォント、一部にビットマップデータを含む）を記憶していて、文字等を特定するコードデータの入力に応じて対応するフォントデータを出力する。
【００５２】
ＲＡＭ２４０は、電源キーの操作により電源がオフにされても、記憶したデータを保持しておくように図外のバックアップ回路によって電源の供給を受けており、各種レジスタ群２４１や、ユーザがキーボード３から入力した文字等のテキストデータを記憶するテキストデータ領域２４２、表示画面４１の表示画像データを記憶する表示画像データ領域２４３、印刷画像データを記憶する印刷画像データ領域２４４、描画登録画像データを記憶する描画登録画像データ領域２４５の他、印刷履歴データ領域２４６やその他の色変換バッファなどの各種変換バッファ領域２４７などの領域を有し、制御処理のための作業領域として使用される。
【００５３】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００５４】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのフォントデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００５５】
ところで、本実施形態では、幅、地色、地模様、質感などが相異なる複数種類のテープを統合して利用可能として、多彩かつ見栄えの良いラベルを作成できるラベル作成方法を採用しているので、以下、その点について説明する。このラベル作成方法では、基本的には、第１印刷画像を第１テープに印刷して第１ラベルを作成し、第２印刷画像を第２テープに印刷して第２ラベルを作成し、第２ラベルを第１ラベル上に貼付することにより、第２印刷画像を第１印刷画像に合成して、合成画像を有する合成ラベルを作成する。
【００５６】
例えば図４（ｃ）に示す合成ラベルＬ０を作成する場合、同図（ａ）に示すテープ幅（第１テープ幅）２４ｍｍの白地のテープを第１テープＴ１とし、同図（ｂ）に示すテープ幅（第２テープ幅）１８ｍｍの水色地のテープを第２テープＴ２として、第１印刷画像Ｇ１を第１テープＴ１に印刷して第１ラベルＬ０ａを作成し、第２印刷画像Ｇ２を第２テープＴ２に印刷して第２ラベルＬ０ｂを作成し、第２ラベルＬ０ｂを第１ラベルＬ０ａ上に貼付することにより、第２印刷画像Ｇ２を第１印刷画像Ｇ１（の第２印刷画像領域Ａ２）に合成して、合成画像を有する合成ラベルＬ０を作成する。
【００５７】
この場合、第１印刷画像Ｇ１の作成時点において、その上に貼付（合成）する第２ラベルＬ０ｂの第２印刷画像Ｇ２を加味（考慮）する。すなわち、本実施形態のラベル作成方法においては、この第１印刷画像Ｇ１の画像作成方法にも特徴があり、第１印刷画像Ｇ１は、同図（ａ）に示すように、「●赤い輪と」の文字（キャラクタ）列画像Ｇ１１と、長方形の領域Ａ２の輪郭線を示す輪郭画像Ｇ１２と、「と●黄色い輪」の文字列画像Ｇ１３と、を有する。この場合の輪郭画像Ｇ１２は、第２ラベルＬ０ｂの第２印刷画像Ｇ２を貼付する貼付領域（第２印刷画像領域）Ａ２を明示するためのマーク画像であり、第１印刷画像Ｇ１の作成時点において第２印刷画像領域Ａ２を設定して確保し、その第２印刷画像領域Ａ２を輪郭画像Ｇ１２として明示した第１印刷画像Ｇ１を作成して印刷する。
【００５８】
第２印刷画像領域Ａ２の設定のための具体的な手順としては、その時々の都合に合わせて種々の手順があり得るので、テープ印刷装置１では、可能な限り種々の手順による設定ができるように、第１テープＴ１用の編集状態である第１テープ編集モードから、第２テープＴ２用の編集状態である第２テープ編集モードに切り換えるための改テープ指示を行う改テープキーを設け、この改テープキーの操作（押下：改テープ指示）が行われたときの第１印刷画像Ｇ１の編集状態に基づいて、第２印刷画像領域Ａ２を設定する。このため、第１印刷画像Ｇ１の編集状態を考慮した上で改テープキーを操作する（改テープ指示を行う）ことにより、第２テープ編集モードに切り換えることができるとともに、種々の第２印刷画像領域Ａ２を設定できる。
【００５９】
図４で上述の例の場合、ユーザは、まず、第１テープ幅２４ｍｍの白地の第１テープＴ１（のテープカートリッジＣ）をテープ印刷装置１に装着し、例えば最初に文字列「●赤い輪とと●黄色い輪」を入力しておき、「●赤い輪と」と「と●黄色い輪」の間をカーソル指定して文字挿入モードとし、その上で改テープキーを押すことにより、第２テープ編集モードに切り換え、第２印刷画像Ｇ２用の文字列「●青い輪」を入力（編集）できる。テープ印刷装置１では、改テープキーが押された時点で、種別検出されている第１テープＴ１のテープ幅（第１テープ幅）以下のテープ幅の選択肢を、第２テープＴ２のテープ幅（第２テープ幅）の候補として、ディスプレイ４の表示画面４１に表示するので、ユーザはいずれかのテープ幅を選択して指定できる。
【００６０】
上述の例では、ここで、テープ幅１８ｍｍを選択すれば良いことになる。また、第２テープ幅の選択（指定）が終了すると、テープ印刷装置１は、テープ長さの入力を促す画面を表示するので、ユーザは、長さを数値により入力できる。ユーザは、改テープキーの押下により第２テープ編集モードに切り換え、第２テープ幅を選択（指定）し、第２テープ長さ（図示の例では３６ｍｍ）を入力し、第２印刷画像Ｇ２用の文字列「●青い輪」を入力した後、再度、改テープキーを押下することにより、第２テープ編集モードを解除して、第１テープ編集モードに戻すことができる。
【００６１】
ユーザは、ディスプレイ４の表示画面４１に第２印刷画像Ｇ２をも含む全体（第１印刷画像Ｇ１の第２印刷画像領域Ａ２内に第２印刷画像Ｇ２を合成した合成画像）を表示させて、全体（合成画像）の編集を行うことができ、その編集後、印刷キーを操作（押下）することにより、第１テープＴ１に上述の第１印刷画像Ｇ１を印刷して第１ラベルＬ０ａを作成できる。次に、第２テープ幅１８ｍｍの水色地の第２テープＴ２をテープ印刷装置１に装着し、改テープキーの押下により第２テープ編集モードに切り換え、印刷キーを押下することにより、第２テープＴ２に上述の第２印刷画像Ｇ２を印刷して第２ラベルＬ０ｂを作成できる。そして、第１ラベルＬ０ａの第１印刷画像Ｇ１の第２印刷画像領域Ａ２に、第２ラベルＬ０ｂの第２印刷画像Ｇ２を貼付して合成ラベルＬ０を作成できる。
【００６２】
なお、第１印刷画像Ｇ１を印刷するときに、輪郭画像Ｇ１２内にその寸法情報（例えば図示のように幅や長さなど）を印刷して、輪郭ばかりでなく具体的な寸法まで明示するようにしても良い。また、第２テープＴ２として装着されたテープの種別を検出できるので、第２印刷画像を第２テープに印刷するためにテープ交換したことを検出結果により確認できるが、この場合、第２テープＴ２として選択されたものと異なるときには、その旨をエラー報知するようにしても良い。
【００６３】
上述のように、本実施形態で採用しているラベル作成方法では、多種多様なテープの種類のうちから、第１テープＴ１および第２テープＴ２として、異なる種類のテープを選択でき、そのことも加味して第１印刷画像Ｇ１や第２印刷画像Ｇ２の編集・作成ができるので、これにより、幅、地色、地模様、質感などが相異なる複数種類のテープを統合して利用可能として、多彩かつ見栄えの良い（合成）ラベルＬ０を作成できる。
【００６４】
また、本実施形態の場合、第１ラベルＬ０ａを作成するためのテープ印刷装置１と第２ラベルＬ０ｂを作成するためのテープ印刷装置１が同一なので、同一のテープ印刷装置１を用いて、第１テープＴ１に対する第１印刷画像Ｇ１の印刷により第１ラベルＬ０ａを作成できるばかりでなく、第２印刷画像Ｇ２が印刷された第２ラベルＬ０ｂの作成まででき、また、これを第１ラベルＬ０ａに貼ることにより合成ラベルＬ０の作成まで行うことができる。
【００６５】
また、第１ラベルＬ０ａ作成後に、装着された第１テープＴ１を第２テープＴ２に交換するため、第１ラベルＬ０ａの作成と第２ラベルＬ０ｂの作成とは相前後して行うことになり、テープの装着手段や印刷手段も同時には１つしか使用しないので、同一のものを兼用すれば、それぞれ単一で済む。また、テープ交換工程以前に、第２印刷画像Ｇ２を作成するため、テープ交換等の操作（作業）の前に作成できるので、第１印刷画像Ｇ１の作成と間をおかずに作成できて、作成しやすい。また、第１印刷画像Ｇ１の第２印刷画像領域Ａ２内に第２印刷画像Ｇ２を合成した合成画像を表示できるので、実際にラベル（第１ラベル、第２ラベル、合成ラベル）を作成しなくても、全体（合成）画像を表示により確認可能になる。このため、この確認（表示）を第１ラベルＬ０ａの作成（印刷以降）や第２ラベルＬ０ｂの作成の前に行うことにより、不本意な合成画像となる場合のラベル（テープ）の無駄を削減でき、編集し直して改めて確認後に、印刷して作成できる。
【００６６】
また、上述のように、本実施形態のラベル作成方法においては、第１印刷画像Ｇ１の画像作成方法にも特徴があり、特に第１テープ幅以下の第２テープ幅を有する第２テープＴ２に対する第２印刷画像領域Ａ２を、第１印刷画像Ｇ１の領域内に設定して、その領域Ａ２が確保された第１印刷画像Ｇ１を作成する。このため、続いて、第１印刷画像Ｇ１を第１テープＴ１に印刷することにより、第１印刷画像Ｇ１の部分を第１ラベルＬ０ａとすることができ、第１ラベルＬ０ａ（の第１印刷画像Ｇ１の第２印刷画像領域Ａ２）上に、第２印刷画像Ａ２が印刷された別のテープ（第２テープ）Ｔ２による第２ラベルＬ０ｂを貼り付けることができ、（貼り付けによる合成の結果として）新たなラベル（合成ラベル）Ｌ０とすることができる。
【００６７】
この場合、多種多様なテープＴの種類のうちから、第２テープＴ２として、第１テープＴ１と異なる種類のテープＴを選択できるので、そのことも加味して第１印刷画像Ｇ１の編集・作成ができ、これにより、幅、地色、地模様、質感などが相異なる複数種類のテープを統合して利用可能として、多彩かつ見栄えの良い（合成）ラベルＬ０を作成できる。なお、第２テープＴ２に対する第２印刷画像Ｇ２を、第１テープＴ１に対する第１印刷画像Ｇ１と同様に作成して印刷すれば、第２テープＴ２の第２印刷画像Ｇ２上にさらに別のテープ（第３テープ）による第３印刷画像（第３ラベル）を合成する（貼り付ける）こともできる（図９、図１０参照）。
【００６８】
また、第２印刷画像領域Ａ２の設定のための具体的な手順として、図４で上述の手順は、いわば、▲１▼「第２印刷画像を除く第１印刷画像の全体を作成しておいてから第２印刷画像（領域）を挿入する手順」（以下「第２印刷画像（領域）を挿入する手順」）であり、この他、▲２▼「第１印刷画像の途中で第２印刷画像の位置にさしかかったときに（第２印刷画像領域を確保して）第２印刷画像を作成し、その後、再度、第１印刷画像の残りの部分を作成する手順」（以下「途中で（第２印刷画像領域を確保して）第２印刷画像を作成する手順」）がある。
【００６９】
具体的には、前者の▲１▼「第２印刷画像（領域）を挿入する手順」では、「●赤い輪とと●黄色い輪」を入力し、「●赤い輪と」と「と●黄色い輪」の間に挿入するように第２印刷画像領域Ａ２を確保して、第２印刷画像Ｇ２用の「●青い輪」を入力したが、後者の▲２▼「途中で（第２印刷画像領域を確保して）第２印刷画像を作成する手順」では、「●赤い輪と」を入力した時点で、改テープキーにより第２テープ編集モードに切り換え、第２印刷画像領域Ａ２を確保して、第２印刷画像Ｇ２用の文字列「●青い輪」を入力し、その後、改テープキーにより第１テープ編集モードに戻して（改テープを解除して）から、「と●黄色い輪」を入力する。
【００７０】
また、上述の▲１▼「第２印刷画像（領域）を挿入する手順」や▲２▼「途中で（第２印刷画像領域を確保して）第２印刷画像を作成する手順」では、幅や長さを入力して第２印刷画像領域Ａ２を確保後に第２印刷画像Ｇ２を作成しても良いし、第２印刷画像Ｇ２を作成して、それに応じた領域を第２印刷画像領域Ａ２として確保しても良い。また、これらの場合、とりあえず第２印刷画像領域Ａ２の確保のみを行い、第２テープ装着後（テープ交換後）に、第２印刷画像Ｇ２を作成することもできる。また、このため、第１ラベルＬ０ａの作成と第２ラベルＬ０ｂの作成に、別々のテープ印刷装置を使用することもできる。
【００７１】
また、第２印刷画像領域Ａ２の確保の前に第２印刷画像Ｇ２を作成する手順としては、さらに▲３▼「第２印刷画像をも含む全体画像（合成画像と同等）を作成し、その一部を第２印刷画像（領域）として範囲指定する手順」（以下「第２印刷画像（領域）を範囲指定する手順」）もある。すなわち、図４の例では、「●赤い輪と●青い輪と●黄色い輪」を入力後、「●青い輪」の文字範囲をカーソル等により範囲指定してから改テープキーを押下することにより、「●青い輪」を第２印刷画像Ｇ２とし、その領域を第２印刷画像領域Ａ２とすることもできる。
【００７２】
また、この場合の文字範囲指定と改テープ指示（改テープキー押下）は、例えば改テープキーを押しながらカーソルを動かして範囲指定するなど同時に操作するものとしても良いし、文字範囲指定を先にしても良いし、改テープ指示を先にしても良いし、それらのいずれかを任意に選択できるようにしても良い。これらの場合、文字範囲指定（文字列範囲指定）および改テープ指示の双方が同時または所定の順番で行われた場合に、指定された文字列範囲（上例の「●青い輪」の文字範囲）を第２印刷画像領域Ａ２として設定するので、これらの操作により、第２テープ編集モードへの移行と第２印刷画像領域（指定された範囲の文字列の領域）Ａ２の設定ができ、見栄えの良い文字列囲み（字囲み）を行ったような（合成）ラベル（のための第１印刷画像）を作成できる。なお、範囲指定としては、カーソル等によるいわゆるドラッグ操作や、始点（最初の文字）と終点（最後の文字）の指定による範囲指定などが含まれる。
【００７３】
また、第２印刷画像領域Ａ２の確保を先に行うにしても、その前に第２印刷画像Ｇ２を作成するにしても、第２印刷画像Ｇ２が文字列画像の場合、領域の幅（または第２テープ幅）と各文字の文字高さは相互に関係し、領域の長さと文字列の長さ（文字数）と文字幅とは相互に関係するので、テープ印刷装置１では、第２テープ編集モードにおいて、第２印刷画像領域Ａ２の確保と第２印刷画像Ｇ２の入力が済み、第１テープ編集モードに戻る時点（改テープ解除時点）で、第２印刷画像Ｇ２内の文字のサイズを決定する。このため、決定された第２印刷画像Ｇ２内の文字サイズに基づいて、第１印刷画像内の文字サイズの調整をすることもできる。
【００７４】
例えば図４で前述の例と同様の場合において、図５に示すように、第１印刷画像Ｇ１の文字サイズを、第２印刷画像Ｇ２の文字列「●青い輪」の文字サイズに合わせて調整した第１印刷画像Ｇ１を作成し、第１テープＴ１に印刷して第１ラベルＬ１ａとし（同図（ａ）参照）、第２印刷画像Ｇ２を第２テープＴ２に印刷して第２ラベルＬ１ｂとして（同図（ｂ）参照）、第１ラベルＬ０ａの第２印刷画像領域Ａ２に合わせて貼ることにより、第１印刷画像Ｇ１上に第２印刷画像Ｇ２を合成した合成画像の合成ラベルＬ１を作成でき、この場合、図示のように、文字サイズが（図示の例では同一サイズに）調整された合成ラベルＬ１を作成できる。すなわち、第２テープ編集モードにおいて第２印刷画像Ｇ２内の文字サイズを決定し、それに基づいて第１印刷画像Ｇ１内の文字サイズを調整するので、第２印刷画像Ｇ２（が印刷された第２ラベルＬ１ｂ）を貼付したときに、その第２印刷画像Ｇ２内の文字サイズと、第１印刷画像Ｇ１内の文字サイズのバランスを良くすることができ、貼付による合成ラベルＬ１の見栄えを良くすることができる。
【００７５】
そして、図４および図５で上述の例の画像作成方法では、第１印刷画像Ｇ１は、複数の文字から成る文字列を有し、第２印刷画像領域Ａ２は、第２印刷画像Ｇ２を貼付したときに文字列のうちの少なくとも一部（上述では「●青い輪」）を担当するように設定されるので、第１印刷画像Ｇ１を第１テープＴ１に印刷し、第２印刷画像Ｇ２を幅、地色、地模様、質感などが相異なる第２テープＴ２に印刷して貼る（合成する）ことにより、少なくとも文字列の一部を第２印刷画像Ｇ２に担当させることができ、これにより、見栄えの良い文字列囲み（字囲み）を行ったような（合成）ラベルＬ０またはＬ１（のための第１印刷画像Ｇ１）を作成できる。すなわち、図５（ｄ）は従来の「字囲み」の機能を用いて作成したラベルＬｄ１を示すが、上例の画像作成方法およびラベル作成方法では、同図（ｃ）に示すように、第２ラベルＬ１ｂの種類（幅、地色、地模様、質感）の選択等を工夫することにより、さらに見栄えの良い「字囲み」の（ような合成）ラベルＬ１を作成できる。
【００７６】
なお、上述の例では、文字列「●青い輪」を第２印刷画像Ｇ２とし、その領域を第２印刷画像領域Ａ２としたが、当然ながら、例えば「●」のみ、「輪」のみなど、１文字（１キャラクタ）のみとしても良いし、飛び飛びの複数文字、例えば「●赤い輪と●青い輪と●黄色い輪」のうちの３つの「●」や「輪」、あるいは「赤い」、「黄色い」および「青い」の色を示す文字列の部分などを、第２印刷画像として作成しても良い。また、例えば第２テープＴ２の地色が非透明色の場合、飛び飛びの複数文字（ここでは３つの「●」を例に使用する）のそれぞれを別々のラベル（３つの第２ラベル）として作成してそれぞれの領域に貼ることにより対応できる。一方、透明地の第２テープＴ２により第２ラベルを作成する場合であれば、飛び飛びの複数文字（飛び飛びの「●」）をその第２テープＴ２に印刷して第２ラベルを作成してそのまま貼る（合成する）こともできる。
【００７７】
そして、単独の文字または飛び飛びの複数文字を指定する場合も、前述の文字列の場合と同様に、▲１▼〜▲３▼の手順のいずれを採用しても良い。▲１▼「第２印刷画像（領域）を挿入する手順」は、例えば「赤い輪と青い輪と黄色い輪」を入力後、３つの「●」を挿入する手順となる。▲２▼「途中で（第２印刷画像領域を確保して）第２印刷画像を作成する手順」では、例えば第２テープ編集モードで「●」を入力し、第１テープ編集モードにして「赤い輪と」と入力し、第２テープ編集モードにして「●」を入力し、第１テープ編集モードに戻して「青い輪と」と入力し、第２テープ編集モードにして「●」を入力し、第１テープ編集モードに戻して「黄色い輪」と入力する手順となる。
【００７８】
また、▲３▼「第２印刷画像（領域）を範囲指定する手順」では、「●赤い輪と●青い輪と●黄色い輪」を入力後、３つの「●」をカーソル等により文字指定する手順となる。この場合も、文字指定を先にしても良いし、改テープ指示を先にしても良いし、それらのいずれかを任意に選択できるようにしても良い。これらの場合、第１印刷画像Ｇ１内の１以上の文字を指定するための文字指定を行うことができ、この文字指定および改テープ指示の双方が同時または所定の順番で行われた場合に、指定された文字の範囲を第２印刷画像領域Ａ２として設定するので、これらの操作により、第２テープ編集モードへの移行と第２印刷画像領域（指定された範囲の文字の領域）Ａ２の設定ができる。
【００７９】
そして、上述の例の画像作成方法では、第１印刷画像Ｇ１は、複数の文字を有し、第２印刷画像領域Ａ２は、第２印刷画像Ｇ２を貼付したときに複数の文字のうちの少なくとも１を担当するように設定されるので、第１印刷画像Ｇ１を第１テープＴ１に印刷し、第２印刷画像Ｇ２を幅、地色、地模様、質感などが相異なる第２テープＴ２に印刷して貼る（合成する）ことにより、少なくとも１の文字を第２印刷画像Ｇ２に担当させることができ、これにより、見栄えの良い文字囲み（字囲み）を行ったような（合成）ラベル（のための第１印刷画像）を作成できる。
【００８０】
また、図５で前述の例と同様に、この例においても、テープ印刷装置１では、第２テープ編集モードにおいて、第２印刷画像領域Ａ２の確保と第２印刷画像Ｇ２の入力が済み、第１テープ編集モードに戻る時点（改テープ解除時点）で、第２印刷画像Ｇ２内の文字サイズを決定するため、決定された第２印刷画像Ｇ２内の文字サイズに基づいて、第１印刷画像Ｇ１内の文字サイズの調整をすることもでき、第２印刷画像Ｇ２が印刷された第２ラベルＬ１ｂを貼付したときに、その第２印刷画像Ｇ２内の文字サイズと、第１印刷画像Ｇ１内の文字サイズのバランスを良くすることができ、貼付による合成ラベルＬ１の見栄えを良くすることができる。
【００８１】
また、各例において上述したように、テープ印刷装置１では、改テープキーの操作（押下）により、その操作毎に、第１テープ編集モード→第２テープ編集モード（改テープ解除）→第１テープ編集モード→第２テープ編集モード（改テープ解除）→第１テープ編集モード→……のように、繰り返し切り換えられるようにしたので、一旦、第２テープ編集モードに切り換えても、任意の時点で第２テープ編集モードを解除（改テープ解除）して第１テープ編集モードに戻すことができる。また、この場合、改テープ解除指示は、改テープ指示と同一操作（改テープキーの押下）により行われるので、同一の操作をするだけでその毎に、第１テープ編集モードと第２テープ編集モードとを切り換えることができる。なお、この他、第２印刷画像領域の設定後には自動解除（自動改テープ解除）とすることもできるし、それらを任意に選択できるようにしても良いし、改テープ前の第１印刷画像の編集状態に応じて自動的に選択されるようにしても良い。
【００８２】
なお、上述の例では、文字列「●赤い輪と●青い輪と●黄色い輪」のうちの「●青い輪」の部分のみを第２印刷画像Ｇ２とし、その領域を第２印刷画像領域Ａ２としたが、文字列「●赤い輪と●青い輪と●黄色い輪」の全体を第２印刷画像Ｇ２としても良い。この場合、第２印刷画像以外の部分には画像がないので、第２印刷画像Ｇ２を貼付した状態では、第２テープＴ２が非透明の場合、その外郭が外枠のような役目を果たす。
【００８３】
例えば上述の例より短い文字列を例として使用して、文字列（全体）が「●赤い輪」で、その文字列全体を第２印刷画像Ｇ２とし、第１テープ幅１２ｍｍの白地に黒文字用（インクリボンＲが黒：黒インクのテープカートリッジＣ）の第１テープＴ１および第２テープ幅９ｍｍの緑色地に赤文字用（緑色のテープＴと赤色のインクリボンＲの組合せのテープカートリッジＣ）の第２テープＴ２を利用すると、図６（ｃ）に示すような合成ラベルＬ２を作成できる。すなわち、同図（ｄ）は従来の「外枠」の機能を用いて作成したラベルＬｄ２を示すが、本例の画像作成方法およびラベル作成方法では、同図（ｃ）に示すように、第２ラベルＬ２ｂの種類（幅、地色、地模様、質感）の選択等を工夫することにより、さらに見栄えの良い「外枠」の（ような合成）ラベルＬ２を作成できる。
【００８４】
そして、外枠の例の場合、第２印刷画像Ｇ２以外の部分には画像がないことから、第１印刷画像Ｇ１は第２印刷画像領域Ａ２の輪郭を示す輪郭画像Ｇ１２のみとなる。このため、前述の▲１▼〜▲３▼の手順の▲１▼「第２印刷画像（領域）を挿入する手順」と▲２▼「途中で（第２印刷画像領域を確保して）第２印刷画像を作成する手順」と▲３▼「第２印刷画像（領域）を範囲指定する手順」に相当する手順は、（ｉ）「第２印刷画像領域を確保してから、第２印刷画像を作成する手順」および（ｉｉ）「第２印刷画像を作成してから、それを含む第２印刷画像領域を設定して確保する手順」のいずれかとなる。また、より具体的には、外枠指示キー（フレームキー）を操作するとともに、改テープキーを操作することにより、貼付する別テープ（第２テープ）の外郭によりいわゆる外枠（と同等以上の体裁）を実現するという意味の「改テープ枠」を指示する。この機能の場合も、操作の順序は特に規定せず、フレームキー操作と同時に改テープキーを操作しても良いし、フレームキー操作後改テープキー操作や、改テープキー操作後フレームキー操作でも良い。
【００８５】
例えば上記の（ｉ）の手順では、まず、同時または所定の順番でフレーキーおよび改テープキーを操作して改テープ枠を指示し、続いて、テープ幅の選択（指示）および長さの入力により、第２印刷画像領域Ａ２を設定する。その後、文字列「●赤い輪」を入力して第２印刷画像Ｇ２を作成する。一方、（ｉｉ）の手順では、文字列「●赤い輪」を入力して第２印刷画像Ｇ２を作成してから、改テープ枠を指示し、続いて、テープ幅・長さの指定により第２印刷画像領域Ａ２を設定する。そして、これらの場合、その後（第１テープＴ１を装着した状態から）、印刷キーの押下により第１テープＴ１に第１印刷画像Ｇ１（輪郭画像Ｇ１２）を印刷して第１ラベルＬ２ａを作成し（図６（ａ）参照）、その後、第２テープＴ２を装着（テープを交換）して、改テープキーの押下により第２テープ編集モードに切り換えてから印刷キーを押下することにより、第２テープＴ２に第２印刷画像Ｇ２を印刷して第２ラベルＬ２ｂを作成できる（同図（ｂ）参照）。このため、第１ラベルＬ２ａの第２印刷画像領域Ａ２（の輪郭画像Ｇ１２）に、第２ラベルＬ２ｂの第２印刷画像Ｇ２を貼付して合成ラベルＬ２を作成できる。
【００８６】
上述のように、本実施形態のテープ印刷装置１では、第１印刷画像Ｇ１を外枠付きの画像にすることを指示するフレームキーの操作（外枠指示）を行うことができ、この外枠指示および改テープキー操作（改テープ指示）の双方が同時または所定の順番で行われた場合、すなわち改テープ枠が指示された場合に、第１印刷画像Ｇ１の領域Ａ１からその外周に沿って所定幅分を除いた内部の領域を第２印刷画像領域Ａ２として設定する。言い換えると、この例の画像作成方法では、第２印刷画像領域Ａ２は、第１印刷画像Ｇ１の領域Ａ１からその外周に沿って所定幅分を除いた内部の領域となるように設定される。すなわち、この場合の第２印刷画像領域Ａ２は、第１印刷画像Ｇ１の領域より所定幅分狭い（小さい）領域となるので、第２印刷画像Ｇ２を幅、地色、地模様、質感などが相異なる第２テープＴ２に印刷して貼る（合成する）ことにより、その外郭（第２印刷画像の輪郭：非透明のテープ地のときには貼付する第２ラベルの外郭）が、第２印刷画像Ｇ２の外枠のように見える。これにより、見栄えの良い外枠を付加したような（合成）ラベルＬ２（のための第１印刷画像Ｇ１）を作成できる。
【００８７】
なお、図４〜図６で上述の各例では、単一段落の単一行の文書画像を全体画像とする場合の例であったが、テープ印刷装置１では、複数段落・複数行を扱えるので、これらに対応する例について、以下に説明する。
【００８８】
まず、テープ印刷装置１では、改段落キーを操作（押下）することにより、その時点のカーソル位置の前に第１印刷画像Ｇ１に新たな段落を設ける（挿入する）ための改段落指示を行うことができる。このため、この改段落キーとともに、改テープキーを操作することにより、貼付する別テープ（第２テープ）に指定の段落を担当させるという意味の「改テープ段落」を指示する。この機能の場合も、操作の順序は特に規定せず、改段落キー操作と同時に改テープキーを操作しても良いし、改段落キー後改テープキー操作や、改テープキー後改段落キー操作でも良い。すなわち、改段落キー操作（改段落指示）および改テープキー操作（改テープ指示）の双方が同時または所定の順番で行われた場合に、新たな段落を第２印刷画像領域Ａ２として設定するので、これらの操作により、第２テープ編集モードへの移行と第２印刷画像領域Ａ２（新たな段落）の設定ができる。これにより、見栄えの良い段落囲みを行ったような（合成）ラベル（のための第１印刷画像）を作成できる。
【００８９】
例えば、図７に示すように、全体のベースとして第１テープ幅２４ｍｍの白地に黒文字用（白色地のテープＴと黒色のインクリボンＲの組合せのテープカートリッジＣ）の第１テープＴ１を利用し、４つの段落から成る全体画像のうちの２番目、４番目の段落の文書画像を第２印刷画像Ｇ２１、Ｇ２２として、第２テープ幅１８ｍｍの黒色地に白文字用（黒色地のテープＴと白色のインクリボンＲの組合せのテープカートリッジＣ）の第２テープＴ２を利用すると、同図（ｃ）に示すような合成ラベルＬ３を作成できる。すなわち、同図（ｄ）は従来の「字囲み」の機能を用いて段落囲みを行った場合のラベルＬｄ３を示すが、本例の画像作成方法およびラベル作成方法では、同図（ｃ）に示すように、第２ラベルＬ３ｂの種類（幅、地色、地模様、質感）の選択等を工夫することにより、さらに見栄えの良い「段落囲み」の（ような合成）ラベルＬ３を作成できる。
【００９０】
なお、この例の場合も、前述の▲１▼「第２印刷画像（領域）を挿入する手順」、▲２▼「途中で（第２印刷画像領域を確保して）第２印刷画像を作成する手順」、▲３▼「第２印刷画像（領域）を範囲指定する手順」のいずれでも採用できる。
【００９１】
例えば▲１▼であれば、「『ＡＢＣＤ』『ＥＦＧＨ』『ＩＪＫＬ』」（『』は各行を示し、「」はその全体で各段落などを示す）の段落の画像（第１段落画像）Ｇ１１に続いて、「『あいうえお』『かきくけこ』『さしすせそ』」の段落の画像（第３段落画像）Ｇ１３が用意されている状態で、第１段落画像Ｇ１１と第３段落画像Ｇ１３の間に（挿入するように）第２印刷画像領域Ａ２１を設定して第２印刷画像Ｇ２１を作成し、第３段落画像Ｇ１３の後に第２印刷画像領域Ａ２２を設定して第２印刷画像Ｇ２２を作成する。
【００９２】
例えば第３段落画像Ｇ１３の先頭の「あ」をカーソル指定した状態で、ユーザにより改テープ段落が指示されると、第３段落の先頭の「あ」の前、すなわち第１段落の末尾の「Ｌ」と第３段落の先頭の「あ」の間に、新たな段落が挿入され、第２テープＴ２の担当となるので、ユーザは、続いて、テープ幅・長さの指定により第２印刷画像領域Ａ２１を設定するとともに、「『ａｂｃｄ』『ｅｆｇｈ』『ｉｊｋｌ』」を入力して第２印刷画像Ｇ２１を作成（用意）できる。同様に、第３段落画像Ｇ１３の後をカーソル指定した状態で、改テープ段落が指示されると、そこに（すなわち末尾に）新たな段落が挿入され、第２テープＴ２の担当となるので、ユーザは、続いて、テープ幅・長さの指定により第２印刷画像領域Ａ２２を設定でき、「『アイウエオ』『カキクケコ』『サシスセソ』」を入力して第２印刷画像Ｇ２２を作成（用意）できる。
【００９３】
そして、その後（第１テープＴ１を装着した状態から）、印刷キーの押下により第１テープＴ１に第１印刷画像Ｇ１（輪郭画像Ｇ１２を含む）を印刷して第１ラベルＬ３ａを作成し（図７（ａ）参照）、その後、第２テープＴ２を装着（テープを交換）して、改テープキーの押下により第２テープ編集モードに切り換えてから印刷キーを押下することにより、第２テープＴ２に第２印刷画像Ｇ２（Ｇ２１、Ｇ２２）を印刷して第２ラベルＬ３ｂ１、Ｌ３ｂ２を作成できる（同図（ｂ）参照）。このため、第１ラベルＬ３ａの第２印刷画像領域Ａ２（Ａ２１、Ａ２２）に、第２ラベルＬ３ｂ１、Ｌ３ｂ２の第２印刷画像Ｇ２（Ｇ２１、Ｇ２２）を貼付して、合成ラベルＬ３を作成できる。なお、上述の説明では、新たな段落をカーソル指定位置の前に挿入するものとしたが、カーソル指定の後側に挿入する仕様としても良い。
【００９４】
また、例えば▲２▼「途中で（第２印刷画像領域を確保して）第２印刷画像を作成する手順」であれば、第１テープ編集モードにおいて第１段落画像Ｇ１の作成後、改テープ段落の指示により第２テープ編集モードへ移行し、第２テープ編集モードにおいて、新たな段落の領域として第２印刷画像領域Ａ２１を設定するとともに、第２印刷画像Ｇ２１を作成し、改テープ段落の指示により第１テープ編集モードへ戻る（改テープ解除）。続いて、同様に、第１テープ編集モードにおいて第３段落画像Ｇ３の作成後、改テープ段落の指示により第２テープ編集モードへ移行し、新たな段落の領域として第２印刷画像領域Ａ２２を設定するとともに第２印刷画像Ｇ２２を作成し、改テープ段落の指示により第１テープ編集モードへ戻る。その後（第１テープＴ１を装着した状態から）、第１印刷画像Ｇ１を印刷して第１ラベルＬ３ａを作成し、テープ交換後、第２印刷画像Ｇ２（Ｇ２１、Ｇ２２）を印刷して第２ラベルＬ３ｂ１、Ｌ３ｂ２を作成でき、第１ラベルＬ３ａの第２印刷画像領域Ａ２（Ａ２１、Ａ２２）に、第２ラベルＬ３ｂ１、Ｌ３ｂ２の第２印刷画像Ｇ２（Ｇ２１、Ｇ２２）を貼付して、合成ラベルＬ３を作成できる。
【００９５】
なお、上述の▲１▼や▲２▼の手順では、幅や長さを入力して第２印刷画像領域Ａ２（Ａ２１、Ａ２２）を確保後に第２印刷画像Ｇ２（Ｇ２１、Ｇ２２）を作成しても良いし、第２印刷画像Ｇ２を作成して、それに応じた領域を第２印刷画像領域Ａ２として確保しても良い。また、これらの場合、とりあえず第２印刷画像領域Ａ２の確保のみを行い、第２テープ装着後（テープ交換後）に、第２印刷画像Ｇ２を作成することもできる。また、このため、第１ラベルＬ３ａの作成と第２ラベルＬ３ｂ（Ｌ３ｂ１、Ｌ３ｂ２）の作成に、別々のテープ印刷装置を使用することもできる。また、ここでは、第２印刷画像Ｇ２１、Ｇ２２（のラベル）を同じ種類の第２テープＴ２を利用して作成したが、別の種類のテープを利用して第２テープＴ２１、Ｔ２２等とし、それぞれ第２印刷画像Ｇ２１、Ｇ２２を印刷して第２ラベルＬ３ｂ１、Ｌ３ｂ２としても良い。
【００９６】
また、テープ全体に印刷画像のネガ印刷ができる場合、第２テープＴ２としても第１テープＴ１と同じ白地に黒文字用を利用してネガ印刷することにより、第２印刷画像Ｇ２１、Ｇ２２を印刷して、第２ラベルＬ３ｂ１、Ｌ３ｂ２としても良い。また、ネガ印刷を利用する場合、透明地に黒文字用（透明のテープＴと黒色のインクリボンＲの組合せのテープカートリッジＣ）の第２テープＴ２を利用すれば、ネガ印刷により第２印刷画像Ｇ２１、Ｇ２２を連続して印刷しても、透明地であり、第１ラベルＬ３ａ上を含む位置にそのまま貼り付けても第３段落画像Ｇ３が見えるので、切り離さずに第２ラベルＬ３ｂとすることもできる。
【００９７】
次に、例えば▲３▼「第２印刷画像（領域）を範囲指定する手順」であれば、最初に、第１テープ編集モードにおいて、「『ＡＢＣＤ』『ＥＦＧＨ』『ＩＪＫＬ』」の第１段落、「『ａｂｃｄ』『ｅｆｇｈ』『ｉｊｋｌ』」の第２段落、「『あいうえお』『かきくけこ』『さしすせそ』」の第３段落、「『アイウエオ』『カキクケコ』『サシスセソ』」の第４段落の全ての入力から段落画像作成まで用意しておき、第２段落および第４段落を範囲指定してから、改テープキーを押下することにより、上述の▲１▼や▲２▼の手順によるものと同等の第１ラベルＬ３ａ、第２ラベルＬ３ｂ、合成ラベルＬ３を作成できる。
【００９８】
以上のように、上述の例の画像作成方法では、第１印刷画像Ｇ１は、複数（上記の例では４つ）の段落を有し、第２印刷画像領域Ａ２（Ａ２１、Ａ２２）は、第２印刷画像Ｇ２（Ｇ２１、Ｇ２２）を貼付したときに、複数（４つ）の段落のうちの少なくとも１（上記の例では２つ）を担当するように設定されるので、第１印刷画像Ｇ１を第１テープＴ１に印刷し、第２印刷画像Ｇ２（Ｇ２１、Ｇ２２）を幅、地色、地模様、質感などが相異なる第２テープＴ２に印刷して貼る（合成する）ことにより、少なくとも１（２つ）の段落を第２印刷画像Ｇ２に担当させることができ、これにより、見栄えの良い段落囲みを行ったような合成ラベルＬ３のための第１印刷画像Ｇ１を作成できる。
【００９９】
なお、テープ印刷装置１では、図４の説明等でも前述のように、ユーザは、ディスプレイ４の表示画面４１に第２印刷画像Ｇ２（Ｇ２１、Ｇ２２）をも含む全体（第１印刷画像Ｇ１の第２印刷画像領域Ａ２内に第２印刷画像Ｇ２を合成した合成画像）を表示させて、全体（合成画像）の編集を行うことができるが、テープ印刷装置１では、この場合の表示において、さらに第２印刷画像領域Ａ２（およびその領域内の第２印刷画像Ｇ２）を他の領域と判別可能に表示できるようにしている。具体的には、モード切換により、第２印刷画像領域Ａ２内の第２印刷画像Ｇ２を白黒反転表示できるようにしている（このため、この表示を行った場合のイメージは、図７（ｃ）と同様になる）。ここで、モード切換できるようにしたのは、印刷時に同図（ｃ）のように印刷する場合、すなわち第２印刷画像領域Ｇ２が明示された第１印刷画像Ｇ１を作成して印刷する場合には、上記の表示機能によらなくても、第１印刷画像Ｇ１をそのまま表示するだけで、第２印刷画像領域Ａ２（およびその領域内の第２印刷画像Ｇ２）を他の領域と判別可能に表示できるからである。そして、テープ印刷装置１では、上記のいずれかにより、第２印刷画像領域Ａ２を他の領域と判別可能に表示できるので、第１印刷画像Ｇ１等の印刷前にそれらを確認できる。
【０１００】
また、テープ印刷装置１では、上記の表示画面４１に表示された全体（合成）画像のイメージを利用して、前述の▲３▼「第２印刷画像（領域）を範囲指定する手順」を採用する場合等に便利なように、前述のカーソルのドラッグ操作や始点・終点指定による範囲指定ばかりでなく、任意の領域を領域指定できるようにしている。具体的には、カーソル（いわゆる十字カーソル等も含む）により、始点と終点を指定してそれらを結ぶ直線を対角線とする長方形を領域指定する長方形領域指定、多角形の領域の各角を順に指定して領域指定する多角形領域指定、および、指定したい領域内の各ドットを累積して（例えば各ドットについて指定の度毎に白黒反転させ、黒ドットで示される領域を指定領域として）指定する任意形領域指定など、各種の領域指定方法を利用できるようにしている。テープ印刷装置１では、ユーザにより領域指定モードに切り換えられると、上記の各領域指定の選択肢を表示するので、ユーザは、いずれかを選択して利用できる。ここで、上記の各点（各ドット）の指定は、指定したい点（ドット）上にカーソルを移動させ、シフトキーを操作（押下）する操作を行うものとするが、もちろん、同旨の結果を得られる操作であれば、他の方法を採用しても良い。以上のように、テープ印刷装置１では、各種の領域指定手段を用いて、第２印刷画像領域Ａ２を表示画面４１内で容易に領域指定できる。
【０１０１】
ところで、テープ印刷装置１では、改行キーを操作（押下）することにより、その時点のカーソル位置の前で改行して（新たな行を設け）、新たな行の編集に入るための改行指示を行うことができる。このため、この改行キーとともに、改テープキーを操作することにより、貼付する別テープ（第２テープ）に指定の行を担当させるという意味の「改テープ行」を指示する。この機能の場合も、操作の順序は特に規定せず、改行キー操作と同時に改テープキーを操作しても良いし、改行キー後改テープキー操作や、改テープキー後改行キー操作でも良い。すなわち、改行キー操作（改行指示）および改テープキー操作（改テープ指示）の双方が同時または所定の順番で行われた場合に、新たな行を第２印刷画像領域Ａ２として設定するので、これらの操作により、第２テープ編集モードへの移行と第２印刷画像領域Ａ２（新たな行）の設定ができる。これにより、見栄えの良い行囲みを行ったような（合成）ラベル（のための第１印刷画像）を作成できる。
【０１０２】
例えば、図８に示すように、全体のベースとして第１テープ幅３６ｍｍの白地に黒文字用の第１テープＴ１を利用し、６行から成る全体画像のうちの５行目の文書（文字列）画像を第２印刷画像Ｇ２として、第２テープ幅６ｍｍの黒色地に白文字用の第２テープＴ２を利用すると、同図（ｃ）に示すような合成ラベルＬ４を作成できる。すなわち、同図（ｄ）は従来の「字囲み」の機能を用いて行囲みを行った場合のラベルＬｄ４を示すが、本例の画像作成方法およびラベル作成方法では、同図（ｃ）に示すように、第２ラベルＬ４ｂの種類（幅、地色、地模様、質感）の選択等を工夫することにより、さらに見栄えの良い「行囲み」の（ような合成）ラベルＬ４を作成できる。
【０１０３】
なお、この例の場合も、前述の▲１▼「第２印刷画像（領域）を挿入する手順」、▲２▼「途中で（第２印刷画像領域を確保して）第２印刷画像を作成する手順」、▲３▼「第２印刷画像（領域）を範囲指定する手順」のいずれでも採用できる。ただし、この点については、図４〜図７で前述の例とほぼ同様であり、容易に類推可能なので、説明は省略する。いずれかの手順により、第１印刷画像Ｇ１を作成し、第２印刷画像領域Ａ２の設定および第２印刷画像Ｇ２の作成をした後、第１テープＴ１を装着した状態から、印刷キーの押下により第１テープＴ１に第１印刷画像Ｇ１（輪郭画像Ｇ１２を含む）を印刷して第１ラベルＬ４ａを作成し（図８（ａ）参照）、第２テープＴ２を装着（テープを交換）して、改テープキーの押下により第２テープ編集モードに切り換えてから印刷キーを押下することにより、第２テープＴ２に第２印刷画像Ｇ２を印刷して第２ラベルＬ４ｂを作成でき（同図（ｂ）参照）、第１ラベルＬ４ａの第２印刷画像領域Ａ２に、第２ラベルＬ４ｂの第２印刷画像Ｇ２を貼付して、合成ラベルＬ４を作成できる。
【０１０４】
また、この例においても、上述の▲１▼や▲２▼の手順では、幅や長さを入力して第２印刷画像領域Ａ２を確保後に第２印刷画像Ｇ２を作成しても良いし、第２印刷画像Ｇ２を作成して、それに応じた領域を第２印刷画像領域Ａ２として確保しても良い。また、とりあえず第２印刷画像領域Ａ２の確保のみを行い、第２テープ装着後（テープ交換後）に、第２印刷画像Ｇ２を作成することもできる。また、このため、第１ラベルＬ３ａの作成と第２ラベルＬ３ｂ（Ｌ３ｂ１、Ｌ３ｂ２）の作成に、別々のテープ印刷装置を使用することもできる。また、テープ全体にネガ印刷ができる場合、第２テープＴ２としても第１テープＴ１と同じ白地に黒文字用を利用してネガ印刷することにより、第２印刷画像Ｇ２を印刷して、第２ラベルＬ４ｂとしても良い。また、透明地に黒文字用の第２テープＴ２を利用することもできる。
【０１０５】
以上のように、上述の例の画像作成方法では、第１印刷画像Ｇ１は、複数の行（上記の例では６行）を有し、第２印刷画像領域Ａ２は、第２印刷画像Ｇ２を貼付したときに、複数の行（６行）の段落のうちの少なくとも１（上記の例では５行目）を担当するように設定されるので、第１印刷画像Ｇ１を第１テープＴ１に印刷し、第２印刷画像Ｇ２を幅、地色、地模様、質感などが相異なる第２テープＴ２に印刷して貼る（合成する）ことにより、少なくとも１の行を第２印刷画像Ｇ２に担当させることができ、これにより、見栄えの良い行囲みを行ったような合成ラベルＬ４のための第１印刷画像Ｇ１を作成できる。
【０１０６】
次に、図４〜図８で上述の各例では、第１ラベル上に第２ラベルを貼付するいわば２重のラベルにより合成ラベルを作成したが、より多重化することにより、さらに多彩かつ見栄えの良い合成ラベルを作成できるので、以下、この点について説明する。
【０１０７】
例えば図９に示す例は、図８で前述の例のいわば応用例であり、文字列の内容としては同じものである。この例では、まず、全体のベースとして第１テープ幅４８ｍｍの白地に黒文字用の第１テープＴ１を利用する。また、１〜２行目および５〜６行目を第２印刷画像Ｇ２（Ｇ２１、Ｇ２２）に担当させるが、それぞれ別のテープＴ（第２テープＴ２）として、第２テープ幅１２ｍｍの緑色地に赤文字用の第２テープＴ２１に１〜２行目の第２印刷画像Ｇ２１を印刷して第２ラベルＬ５ｂ１を作成するとともに、第２テープ幅１８ｍｍの黒色地に白文字用の第２テープＴ２２を利用して、５〜６行目の第２印刷画像Ｇ２２を担当する第２ラベルＬ５ｂ２を作成する。図８の例に比べて第２印刷画像Ｇ２とする部分を複数とし、それぞれを別の第２テープにする点が異なるが、これらの点については、図７等で説明したのと同等であって類推可能なので、特に説明しない。ただし、本例では、第２印刷画像Ｇ２のうちの第２印刷画像Ｇ２２のラベル（第２ラベル）を合成ラベルとして作成する。
【０１０８】
すなわち、２行（５〜６行目）を担当する第２ラベルＬ５ｂ２の第２印刷画像Ｇ２２のうちの下の行の分を第３印刷画像Ｇ３として、第３テープ幅６ｍｍの白地に黒文字用の第３テープＴ３を利用して、第３印刷画像Ｇ３が印刷された第３ラベルＬ５ｂ２ｂを作成するとともに、第３印刷画像Ｇ３を貼付するための第３印刷画像領域Ａ３が確保された（その輪郭画像Ｇ２２２を含む）第２印刷画像Ｇ２２１を第２テープＴ２２に印刷して第２ラベルＬ５ｂ２ａを作成し、その第３印刷画像領域Ａ３に第３ラベルＬ５ｂ２ｂの第３印刷画像Ｇ３を貼付（合成）して、合成ラベルとしての（合成）第２ラベルＬ５ｂ２を作成できる。そして、同じ階層のラベル（第２ラベル）として作成された第２ラベルＬ５ｂ１とともに、第１ラベルＬ５ａの第２印刷画像領域Ａ２（Ａ２１、Ａ２２）に貼付して、合成ラベルＬ５を作成できる。
【０１０９】
なお、この例の場合も、前述の▲１▼「第２印刷画像（領域）を挿入する手順」、▲２▼「途中で（第２印刷画像領域を確保して）第２印刷画像を作成する手順」、▲３▼「第２印刷画像（領域）を範囲指定する手順」のいずれでも採用できる。前述のように、▲１▼や▲２▼の手順では、とりあえず第２印刷画像領域Ａ２（Ａ２１、Ａ２２）の確保のみを行い、第２印刷画像領域Ａ２（Ａ２１、Ａ２２）が確保された（輪郭画像等を含む）第１印刷画像Ｇ１を第１テープＴ１に印刷し、第２テープ装着後（テープ交換後）に、第２印刷画像Ｇ２を作成することもできるので、以下では、その手順を最も理解しやすい手順として採用して説明する。
【０１１０】
すなわち、まず、上述の▲１▼または▲２▼により、第２印刷画像Ｇ２（Ｇ２１、Ｇ２２）の作成は行わずに、第２印刷画像領域Ａ２（Ａ２１、Ａ２２）が確保された（輪郭画像Ｇ１１、Ｇ１３を含む）第１印刷画像Ｇ１を第１テープＴ１に印刷して、第１ラベルＬ５ａを作成する（図９（ａ）参照）。次に、同図（ｂ）に示すように、第２テープＴ２１を装着（テープ交換）し、第２印刷画像Ｇ２１を作成して第２テープＴ２１に印刷して第２ラベルＬ５ｂ１を作成する。次に、第２テープＴ２２を装着（テープ交換）し、第１ラベルＬ５ａと同様に、第２印刷画像にとっての下位の印刷画像である第３印刷画像Ｇ３の貼付領域として第３印刷画像領域Ａ３の確保のみを行い、その第３印刷画像領域Ａ３が確保された（輪郭画像Ｇ２２２を含む）第２印刷画像Ｇ２２を作成し、第２テープＴ２２に印刷して第２ラベルＬ５ｂ２ａを作成する。次に、第３テープＴ３を装着（テープ交換）し、第３印刷画像Ｇ３を作成して第３テープＴ３に印刷して第３ラベルＬ５ｂ２ｂを作成する。この時点で、用意すべき全てのラベル（第１ラベルＬ５ａ、第２ラベルＬ５ｂ１、第２ラベルＬ５ｂ２ａ、第３ラベルＬ５ｂ２ｂ）が作成済みなので、同図（ｃ）に示すように、順次、確保されている所定の貼付領域に貼付することにより、全体を合成した合成ラベルＬ５を作成できる。
【０１１１】
なお、他の手順も適宜適用して、その時の都合に合わせて同様に合成ラベルＬ５を作成することができる。例えば上記の第３印刷画像Ｇ３は、第２印刷画像Ｇ２２とともに作成することもでき、その場合も、第３印刷画像領域Ａ３を確保（設定）してから第３印刷画像Ｇ３を作成しても良いし、第３印刷画像Ｇ３を作成してからそれに合わせて第３印刷画像領域Ａ３を確保（設定）しても良いし、第３印刷画像Ｇ３を含むように第２印刷画像Ｇ２２を作成しておいて、第３印刷画像Ｇ３の部分を範囲指定して、第３印刷画像領域Ａ３を確保（設定）しても良い。また、同図（ｃ）に相当する全体画像まで最初に作成しておき、そのうちの第２印刷画像Ｇ２１の部分を範囲指定して、第２印刷画像領域Ａ２１を確保し、同様に、第２印刷画像Ｇ２２の部分を範囲指定して、第２印刷画像領域Ａ２２を確保し、その後、第２印刷画像Ｇ２２を印刷する代わりに、その時点でさらに第３印刷画像Ｇ３の部分を範囲指定して、第３印刷画像領域Ａ３を確保（設定）しても良い。
【０１１２】
以上のように、上述の例の画像作成方法（並びにラベル作成方法）では、第１ラベル上に第２ラベルを貼付する２重化をさらに進めて、より多重化（上記の例では３重化）することができ、これにより、さらに多彩かつ見栄えの良い合成ラベルを作成できる
【０１１３】
なお、上述の各例では、改テープ解除指示を改テープ指示と同一操作（改テープキーの押下）とし、その同一操作の毎に、第１テープ編集モードと第２テープ編集モードとを切り換えるようにしたが、図９で上述のような例では、同時に考慮できるテープ（ラベル）の（階層）数を３以上とすることもでき、そのような場合、すなわち、第２ラベルの第２印刷画像の領域内に、さらに別のテープ（第３テープ）による第３ラベルの第３印刷画像を貼付する第３印刷画像領域を確保して、同様にして３重の合成ラベルを作成するような場合、逆に、改テープキーの操作（改テープ指示）とは別に改テープ解除キーを設けて操作（改テープ解除指示）できるようにし、改テープ指示の度に、第１テープ編集モード→第２テープ編集モード→第３テープ編集モード→…（さらに下位テープ編集モード）に切り換え、改テープ解除指示の度に、（さらに下位テープ編集モード）…→第３テープ編集モード→第２テープ編集モード→第１テープ編集モードに切り換えられるようにしても良い。これにより、最初に（印刷等をする前に）第３印刷画像等の下位の印刷画像をも作成して全体（合成結果）の画像をも表示画面等で確認してから、テープ交換をしつつ、順次、各階層の印刷画像を印刷して各階層のラベルを作成できる。
【０１１４】
ところで、図４〜図９で上述のように、全体のベースとなる第１ラベルの第１印刷画像の領域内に確保された第２ラベルの第２印刷画像の貼付領域である第２印刷画像領域に、第２印刷画像を貼ることにより、画像として合成し、その合成画像のラベルである合成ラベルを作成できる、ということは、全体画像として一部のみ異なる画像のラベルであれば、その異なる部分のみ貼り替えることにより作成できる、ということを意味する。また、一旦、貼ってから（合成してから）交換したり、あるいはさらに上から貼るなどの他、予め予想できる範囲で複数種類の第２印刷画像のラベルを用意しておけば、任意の時点でその複数種類のうちのいずれかを選択して、その第２印刷画像を合成した合成ラベルを作成できる。
【０１１５】
例えば図４〜図６および図８の例であれば、第２印刷画像Ｇ２の内容やその印刷対象の第２テープＴ２の種別などを変えて種々用意しておけば、各種内容や各種趣向の異なる合成ラベルを容易に作成できる。また、図７や図９の例であれば、２つの第２印刷画像Ｇ２１、Ｇ２２のそれぞれについて、同様にできるので、さらに多彩な（相異なる）合成ラベルを容易に作成できる。
【０１１６】
例えば図９においては、合成ラベルＬ５は、いわゆる「お知らせ」を記載したものであり、第２印刷画像Ｇ２１はいわば発行元（部門）を示しているが、同住所内に他の部門（例えば林檎林館と並ぶ別館等）があり、そこからも同様のお知らせの可能性がある場合、この第２印刷画像Ｇ２１の部分（が印刷された第２ラベルＬ５ｂ１）のみを（例えば林檎林別館等に）変えれば他は同様に使用して、発行元の異なる合成ラベルを容易に作成できる。同様に、第２印刷画像Ｇ２２はいわばイベント名および集合場所等のお知らせであり、別のイベントに際して、この部分（が印刷された第２ラベルＬ５ｂ２＝Ｌ５ｂ２ａ＋Ｌ５ｂ２ｂ）のみを変えれば、その時々のイベントに合わせた合成ラベルを容易に作成できる。
【０１１７】
そして、図４〜図９で前述の例では、いわば各部を担当するラベルが異なることに着目し、幅、地色、地模様、質感などが相異なる複数種類のテープを利用して、その相違部分が目立つように（すなわち枠や囲み等に見えるように）各テープを選択・指定したが、上記のような応用では、一部のみを変更したことを明示したくない場合もある。このような場合、例えば図９の例に対応して図１０に示すように、第２テープＴ２や第３テープＴ３等として、透明地に黒文字用のテープＴを選択することにより、各ラベル（第１ラベルＬ６ａ、第２ラベルＬ６ｂ１、第２ラベルＬ６ｂ２ａ、第３ラベルＬ６ｂ２ｂ）の相互間の境界線が目立たない合成ラベルＬ６を作成することもできる（ただし、図１０では後述の説明の都合上、境界線を図示している）。
【０１１８】
なお、上述の実施形態のテープ印刷装置１では、改テープキーが押された時点で、種別検出されている第１テープＴ１の第１テープ幅以下のテープ幅の選択肢を、第２テープＴ２の第２テープ幅の候補として、ディスプレイ４の表示画面４１に表示するものとし、ユーザはいずれかのテープ幅を選択して指定できるものとしたが、第２テープ幅ばかりでなく、第１テープ幅以下の条件の下で、その地色、地模様、材質（質感）などをも含めたテープ種別を選択できるようにしても良い。また、この場合のテープの種類には、テープカートリッジＣに収容されて供給されるものばかりでなく、所定の長さを有するテープ片（短片）をも装着できるようにして、選択可能なテープの種別に含めても良い。
【０１１９】
そして、これらの場合、テープの複数種類のうちから第２テープＴ２の種類を指定できるので、第２テープＴ２の種類、すなわちその幅、地色、地模様、質感などを考慮して第１印刷画像Ｇ１を作成できるとともに、選択された第２テープＴ２の種類がテープ幅と対応していれば、その種類に基づいて、第２テープ幅および第２印刷画像Ｇ２の幅が設定でき、あるいは長さの定まったテープの種類であれば、第２印刷画像Ｇ１の長さをも設定でき、第２印刷画像領域の設定を簡単化できる。
【０１２０】
また、上記のように改テープ指示（第２テープ編集モード）に応じて、第２テープのテープ種別を選択できる場合、第２印刷画像領域の輪郭を決定する手段（あるいは決定するための工程）を備えることが好ましい。この場合、第２印刷画像領域の輪郭を決定するので、その輪郭を有する第２印刷画像領域を、第１印刷画像の領域内に設定できる。
【０１２１】
ここで、第１テープ（第１ラベル）に印刷された第１印刷画像上に、第２印刷画像が印刷された第２テープ（第２ラベル）を貼付して合成ラベルを作成する場合に、第２テープが透明地であれば、それに印刷された第２印刷画像が第１印刷画像（の領域）上に直接見えることになり、その外側（第２テープＴ２のテープ地の部分：透明部分）は、第１印刷画像上に重なっても下が見える。すなわち、改テープ時に第２テープのテープ種別を選択できる場合、選択（指定）された第２テープの種類が、例えば透明地のときには、テープ地の方は透明で第１ラベル上に貼り付けても下が見えるので、領域として確保すべきはその上に印刷される第２印刷画像自体の輪郭内で良い。このため、このような場合、第２印刷画像内の非透明色部分の外縁を結ぶ線を、第２印刷画像領域の輪郭として決定することが好ましい。これにより、貼付して合成する場合に考慮すべき第２印刷画像領域（の輪郭）は、第２印刷画像内の非透明色部分の領域とすることができ、第１印刷画像内の領域を有効に生かしたラベルを作成できる。
【０１２２】
一方、第２テープとして地色が非透明のテープが指定された場合、第２印刷画像が印刷された第２テープ（第２ラベル）を貼付する領域の外郭を示す線を第２印刷画像領域の輪郭として決定すれば良い。これにより、非透明な第２テープを適切に貼付しやすいように、第２印刷画像領域を、第１印刷画像の領域内に設定できる。
【０１２３】
また、例えば図１０の例においては、図９の例に合わせて、それぞれ第２テープ幅１２ｍｍ、１８ｍｍの透明地の第２テープＴ２１、Ｔ２２を使用したが、透明地のテープであれば実質的な占有範囲は有色（黒文字）の文字部分なので、同じサイズの文字を使用（印刷）するものとして、少し幅広の（例えばそれぞれ１８ｍｍ、２４ｍｍの）第２テープ幅を有する第２テープＴ２１、Ｔ２２を利用しても良い。また、例えば第２ラベルＬ６ｂ１において、実際の有色部分は文字部分なので、その外縁（すなわち各文字のアウトラインの外側の端を結ぶ線）に沿って第２印刷画像領域の輪郭を描けば複雑な輪郭となるが、図示の例の領域設定上は、その輪郭を内包する長方形領域として設定すれば、実質上十分に領域の有効利用が図れる。
【０１２４】
このため、例えば図１０の例では、図示の第２印刷画像Ｇ２１（２行の文字列画像）が印刷された第２ラベルＬ６ｂ１を貼付する領域（長方形の領域）の外郭を示す線を第２印刷画像領域Ａ２１の輪郭とすれば良い。ただし、上述のように透明地ではあるが幅広の第２テープ幅を利用する場合も、同じ第２印刷画像領域Ａ２１の輪郭とすることが好ましい。この場合、第２印刷画像領域Ａ２１は、第２ラベルＬ６ｂ１を貼付する領域（長方形領域）より一回り小さく（狭く）、かつ有色部分の外縁（第２印刷画像領域の輪郭）を内包する長方形領域となる。すなわち、第２テープ地が透明の場合、第２印刷画像領域Ａ２１の輪郭（線）＝有色部分の外縁を結ぶ線であり、第２テープ地が非透明の場合、第２印刷画像領域Ａ２１の輪郭（線）＝第２ラベルの外郭を示す線ではあるが、第２印刷画像領域Ａ２１を、第２印刷画像領域Ａ２１の輪郭（線）を内包する長方形領域として設定すれば、双方とも同様に長方形領域として扱える。図１０で前述の例は、まさにそのように扱った例であり、それ故、図９の例と同様に作成できる。上記では第２印刷画像Ｇ２１側（第２ラベルＬ６ｂ１側）で説明したが、第２印刷画像Ｇ２２側（第２ラベルＬ６ｂ２側）でも同様である。
【０１２５】
そして、第２印刷画像領域を、その輪郭（線）を内包する長方形領域として扱う点については、図４〜図１０まで同様なので、上述の例は全て同様に画像作成・ラベル作成ができる。すなわち、これらの場合、第２印刷画像領域は、輪郭を内包する長方形領域として設定されるため、基本的に長さと幅を決定すれば領域を設定できる。例えばテープ種別等により幅方向が予め判明しているか、あるいはすでに設定されている場合などには、長さを入力できれば、第２印刷画像領域の設定を完了できる。また、例えば複数段落の文書画像が全体画像の場合に、そのうちの所定の段落全体を第２印刷画像とするときには、幅方向は全体画像と同じまたは全体画像の幅より少し狭い所定幅に規定されるので、その段落の長さ方向の基点が設定された状態でその長さを入力することにより、第２印刷画像領域の設定を完了できる。
【０１２６】
一方、例えばテープ種別等により長さが予め判明しているか、設定されている場合には、幅を入力できれば、第２印刷画像領域の設定を完了できる。例えば単一段落や定長印刷の画像を全体画像とする場合に、所定の長さ（定長）内におさめるべき複数行のうちの所定の行全体を第２印刷画像とするときには、長さ方向は全体画像と同じまたは全体画像の長さより少し短い所定長さに規定されるので、その行の幅方向の基点が設定された状態でその幅を入力することにより、第２印刷画像領域の設定を完了できる。また、第２テープ幅を入力できるようにしても良い。この場合、第２テープ幅を入力できるので、第２印刷画像の幅との関係を定めておくことにより、入力された第２テープ幅に基づいて第２印刷画像の幅を設定できる。
【０１２７】
また、図４等で前述の例では、第２テープ幅の選択（指定）が終了すると、テープ印刷装置１は、テープ長さの入力を促す画面を表示し、ユーザはその長さを数値により入力できるものとしたが、第２印刷画像Ｇ２を作成してから第２印刷画像領域Ａ２を設定するものとして、その第２印刷画像Ｇ２に対する前余白や後余白の長さを入力できるようにしても良い。また、幅方向についても、テープ幅の選択肢からの選択・指定でなく、数値入力としても良い。また、第２印刷画像領域Ａ２の長さや幅あるいは上下左右の余白などを数値入力するにしても、最初から直接的に数値入力するばかりでなく、例えば最初に標準値または前回値などのデフォルトの数値を表示してから、その数値を増減できるようにしても良い。
【０１２８】
また、これらの方法のいずれかにより、第２印刷画像領域Ａ２の幅や長さを定める（設定する）にしても、前述の例では、改テープキーの操作（改テープ指示）により第１テープ編集モードから第２テープ編集モードに切り換えた直後のタイミングで設定したが、これに限らず、再度、改テープキーを操作して第１テープ編集モードに戻す（改テープ解除の）タイミングで設定しても良い。
【０１２９】
また、第２印刷画像領域Ａ２の幅や長さが定まった時点で、行数や１行の文字数等から文字サイズを決定できるので、図５で前述と同様に、図６以降の例においても、決定された第２印刷画像内の文字サイズに応じて、第１印刷画像内の文字サイズの調整をすることもできる。また、設定した第２印刷画像領域の幅や長さに合わせて文字が入らない場合（例えば最小の文字サイズによっても入力された行数や文字数が入らない場合等）、設定した第２印刷画像領域幅や長さを優先して、いわば定長印刷の場合と同様に、入らない旨（例えば「「行数オーバー」や「文字数オーバー」等）のエラー報知をしても良いし、行数や文字数を優先して、第２印刷画像領域の幅や長さを調整しても良い。また、さらに後者の場合、調整された第２印刷画像領域の幅や長さを採用すると、第１テープ幅の範囲内に入らなくなったり、第１ラベル（の第１印刷画像）として設定された定長印刷等の範囲に入らなくなったときには、同様にエラー報知するようにもできる。
【０１３０】
なお、合成ラベルを作成する場合、設定により第２印刷画像領域が確保されていれば、ユーザが位置調整をしつつ貼る（合成する）ことができるので、印刷後の第１ラベルの第１印刷画像領域内に明示することは不可欠と言うわけではないが、明示されている方が便利である。このため、第２印刷画像領域を印刷後に明示するための領域明示機能を、第１印刷画像に付加することが好ましく、これにより、印刷後、その領域明示機能により第２印刷画像領域が明示され、第２印刷画像（が印刷された第２ラベル）を貼りやすく、すなわち画像を合成した合成ラベルを作成しやすくできる。
【０１３１】
図４〜図９に図示の例では、第２印刷画像領域を長方形の貼付領域として、その長方形の輪郭線を実線で示した輪郭画像Ｇ１２等を付加することにより、領域明示機能を、第１印刷画像に付加していて、この輪郭画像を他の部分と共に印刷することにより、第２印刷画像領域を印刷後に明示しているが、領域明示機能の付加としては各種の方法が考えられるので、以下、この点について説明する。
【０１３２】
まず、上述してきた長方形の輪郭線を初めとして、第２印刷画像領域の輪郭線を第１印刷画像の領域内に配置する方法がある。なお、輪郭線によるので、所定の形ばかりでなく、多角形を含み曲線をも含む任意の形状の領域に適用できる。また、輪郭線としても実線ばかりでなく、点線、一点鎖線、２点鎖線等の破線でも良い（図１０（ｃ）参照）。また、破線または実線により、設定された第２印刷画像領域より若干狭い領域の輪郭線、すなわち設定された第２印刷画像領域の輪郭線より所定幅分だけ内側（領域内部）にずらした（いわゆる一回り小さな）輪郭線を示すようにしても良い。この場合、予め定めた幅（所定幅）なので、前者の（実際の第２印刷画像領域の輪郭線を配置する）場合と同様に、第２印刷画像領域を明示できるとともに、第２印刷画像（あるいは非透明の第２ラベルのテープ地）の下に隠すなどの工夫ができる（隠せるという利点がある）。
【０１３３】
また、上記の輪郭線による方法とは独立して適用できる（多角形の場合には同時適用可能な）方法として、第２印刷画像が多角形領域として設定される場合、多角形の第２印刷画像領域の各角の位置を示す角マーク（マーク画像）を第１印刷画像の領域内に配置することにより、第２印刷画像領域を明示できる。例えば図１０（ａ）の第２印刷画像領域Ａ２１であれば、四角形なので、４つの角マークＭｅを配置すれば、第２印刷画像領域Ａ２１を明示できる。なお、この方法の場合の角マークＭｅは、設定された第２印刷画像領域の角の位置から所定方向にずらして配置することもでき、ずらす方向とその距離を予め定めておけば、同様に、第２印刷画像領域を明示できる。また、例えば領域の外側にずらして配置すれば、第２印刷画像（が印刷された第２ラベル）を貼る場合に、その角マークの内側に合わせて貼りやすく、逆に内側にずらせば、第２印刷画像（あるいは非透明の第２ラベルのテープ地）の下に角マークを隠すことができるなど、ラベルを貼る（画像を合成した合成ラベルを作成する）ときのための各種の工夫ができる。
【０１３４】
また、上記の輪郭線や角マーク等とは独立または同時に適用可能な方法として、第２印刷画像領域内に（第１印刷画像の領域内の）他の領域と異なる配色をすることにより、色の違いを利用して境界線を明示できる。なお、この方法の場合も、任意の形状の領域に適用できる。設定された第２印刷画像領域より若干（所定分）狭い領域にも適用でき、所定分狭い領域内の配色の場合も、予め定めた分（所定分）なので、前者の（全体の）場合と同様に、第２印刷画像領域を明示できる。このため、前述の角マークや輪郭線等と同様に、第２印刷画像（が印刷された第２ラベル）の下に隠したりするなどの工夫ができる。
【０１３５】
なお、第２印刷画像領域を明示する方法として、第２印刷画像それ自体を第１テープの第１印刷画像の第２印刷画像領域に配置して印刷しても良い。この場合、第１テープ（第１ラベル）に印刷された第２印刷画像の上に、第２テープ（第２ラベル）に印刷された第２印刷画像を重ねて貼ることにより、合成ラベルを作成できる。また、一旦完成した合成ラベル（言い換えれば第２ラベルの第２印刷画像が既に貼られた合成ラベル）の第２印刷画像それ自体も新たな第２印刷画像領域と成り得る。すなわち、図９等で前述のように第２印刷画像部分のみ異なる合成ラベルを種々作成する場合、最初からその部分が異なるように作成する方法の他、一旦作成済みの合成ラベルを利用して、第２印刷画像部分を貼り換えたり、その上に重ねて貼ることにより、新たな合成ラベルとすることもできる。
【０１３６】
例えば図４（ｄ）に示すように、第２テープ幅１８ｍｍの黄色地の第２テープＴｓに黒文字「●白い輪」が印刷されて作成された第２ラベルＬ０ｓが、前述した第１テープ幅２４ｍｍの白地の第１テープＴ１（第１ラベルＬ０ａ）上に貼られた合成ラベルＬｓがある場合に、第２ラベルＬ０ｓを剥がして、同図（ｂ）で前述の第２ラベルＬ０ｂを貼れば、同図（ｃ）で前述の合成ラベルＬ０を作成できる。この場合、前述のように（図示のように）、輪郭画像Ｇ１２内にその寸法情報（幅や長さ等）を印刷しておけば、前の第２印刷画像（ここでは第２ラベルＬ０ｓ）を剥がしたときに、新たに作成すべき（貼付すべき）第２印刷画像（すなわち第２ラベルＬ０ｂ）の寸法を容易に把握できて便利である。また、上記の合成ラベルＬｓがある場合に、第２ラベルＬ０ｓの上に重ねて第２ラベルＬ０ｂを貼っても、合成ラベルＬ０が作成できる。この場合、図示のように、第２印刷画像の一部（例えば端部）に寸法情報（寸法マーク）Ｍｓ（図示の例では「１８−３６」）を含めても良い。また、寸法情報としては、同図（ａ）の「テープ幅１８ｍｍ  長さ３６ｍｍ」や上記の「１８−３６」の他、「Ｗ１８×Ｌ３６」などとすることもできるし、テープ種別を示す番号等により表現しても良い。
【０１３７】
なお、上述の実施形態では、複数段落・複数行の場合に、段落を優先させた例のみを示したが、複数段落に拘わらない行を設けても良い。例えばテープ幅の（図示の）上側に図４〜図６あるいは図８〜図１０の例のような長さ方向に貫く行を配置した上で、その（図示の）下側に図７のような複数段落を配置したり、そのような段落・行混在の構成の画像の全体を新たに大きな段落として、その前後にさらに新たな（大きな）段落を設けるなど、任意の配置の全体（合成）画像およびそのラベルの作成に適用できる。
【０１３８】
また、上述の実施形態では、主に文字列（キャラクタ列）を対象として編集や印刷などの各種処理を行う例について説明したが、各段落・各行・各文字列・各文字その他と同様に、ベースとなる第１印刷画像を構成し得るものであれば外字や任意登録・任意作成の図形等でも良いし、それらの混在でも良い。また、上述の実施形態では、サーマル方式のテープ印刷装置について説明したが、インクジェット方式その他のテープ印刷装置にも適用できる。これらの他、本発明の要旨を逸脱しない範囲で、適宜変更も可能である。
【０１３９】
【発明の効果】
上述のように、本発明のテープ印刷装置の画像作成方法並びにラベル作成方法によれば、幅、地色、地模様、質感などが相異なる複数種類のテープを統合して利用可能として、多彩かつ見栄えの良いラベルを作成できる、などの効果がある。
【図面の簡単な説明】
【図１】本発明の一実施形態に係るテープ印刷装置の外観斜視図である。
【図２】図１のテープ印刷装置に対応する開蓋状態の外観斜視図である。
【図３】図１のテープ印刷装置の制御系のブロック図である。
【図４】印刷画像およびそれによるラベルの例を示す説明図である。
【図５】別の例を示す、図４と同様の説明図である。
【図６】さらに別の例を示す、図４と同様の説明図である。
【図７】さらに別の例を示す、図４と同様の説明図である。
【図８】さらに別の例を示す、図４と同様の説明図である。
【図９】さらに別の例を示す、図４と同様の説明図である。
【図１０】さらに別の例を示す、図４と同様の説明図である。
【符号の説明】
１      テープ印刷装置
３      キーボード
４      ディスプレイ
５      テープカートリッジ
７      印刷ヘッド
１１    操作部
１２    印刷部
１３    切断部
１４    検出部
３１    文字キー群
３２    機能キー群
４１    表示画面
１４１  テープ識別センサ
１４２  回転速度センサ
２００  制御部
２１０  ＣＰＵ
２２０  ＲＯＭ
２３０  ＣＧ−ＲＯＭ
２４０  ＲＡＭ
２４１  各種レジスタ群
２４２  テキストデータ領域
２４３  表示画像データ領域
２４４  印刷画像データ領域
２７０  駆動部
Ａ１    第１印刷画像の領域
Ａ２    第２印刷画像領域
Ｃ      テープカートリッジ
Ｇ１    第１印刷画像
Ｇ２    第２印刷画像
Ｌ０〜Ｌ６  ……  ラベル
Ｍｅ    角マーク
Ｍｓ    寸法情報（寸法マーク）
Ｔ      テープ
Ｔ１    第１テープ
Ｔ２    第２テープ
【図１】
0003551940.tif 000002
【図２】
0003551940.tif 000003
【図３】
0003551940.tif 000004
【図４】
0003551940.tif 000005
【図５】
0003551940.tif 000006
【図６】
0003551940.tif 000007
【図７】
0003551940.tif 000008
【図８】
0003551940.tif 000009
【図９】
0003551940.tif 000010
【図１０】
0003551940.tif 000011